(57)【要約】【課題】取り付けと取り外しとが容易であり、かつ、容易に成形できるシャッタースラット用緩衝材を提供する。【解決手段】シャッタースラット用緩衝材３０は、一方連結カバー部４０と、他方連結カバー部４２と、カバー連結部４４とを備える。一方連結カバー部４０が、一方引掛部６０と、一方凹形成部６２とを有している。他方連結カバー部４２が、他方引掛部８０と、他方凹形成部８２とを有している。カバー連結部４４が、対向部１００と、他方側端部１０４とを有している。【選択図】図２
2020016122.tif 000002
【特許請求の範囲】
【請求項１】
連なっている少なくとも３枚のスラットを備える所定のシャッターのうち隣接する前記スラットの対が互いに連結するための部分かつ前記シャッターの一方の面に突出する部分であるスラット連結部に取り付けられるシャッタースラット用緩衝材であって、
複数の前記スラット連結部のうち隣接する前記スラット連結部の対の一方である一方連結部を覆うための一方連結カバー部と、
複数の前記スラット連結部のうち隣接する前記スラット連結部の対の他方である他方連結部を覆うための他方連結カバー部と、
前記一方連結カバー部と前記他方連結カバー部とを連結するカバー連結部とを備え、
前記一方連結カバー部が、
前記一方連結部に引っ掛かるための一方引掛部と、
前記一方引掛部に連なり前記一方連結部が嵌まるための凹部を形成する一方凹形成部とを有しており、
前記他方連結カバー部が、
前記他方連結部に引っ掛かるための他方引掛部と、
前記他方引掛部に連なり前記他方連結部が嵌まるための凹部を形成する他方凹形成部とを有しており、
前記カバー連結部が、前記一方凹形成部と前記他方引掛部とを連結することを特徴とするシャッタースラット用緩衝材。
【請求項２】
前記カバー連結部が、
前記一方引掛部が前記一方連結部に引っ掛かり前記他方引掛部が前記他方連結部に引っ掛かる場合前記一方連結部と前記他方連結部とに挟まれる前記スラットに前記他方引掛部以上に近い位置で対向するよう配置される対向部と、
前記対向部のうち前記他方連結カバー部側の端と前記他方引掛部とに連なる他方側端部とを有していることを特徴とする請求項１に記載のシャッタースラット用緩衝材。
【請求項３】
前記対向部が、前記スラット連結部の突出方向に突出するように曲がっていることを特徴とする請求項２に記載のシャッタースラット用緩衝材。
【請求項４】
前記一方連結カバー部が、前記一方引掛部に連なり前記一方連結部が嵌まるための凹部から見て前記一方連結カバー部の裏側へ突出する一方突出部をさらに有していることを特徴とする請求項１に記載のシャッタースラット用緩衝材。
【発明の詳細な説明】
【技術分野】
【０００１】
本発明は、シャッタースラット用緩衝材に関する。
【背景技術】
【０００２】
特許文献１は、シャッタースラット用緩衝材を開示する。このシャッタースラット用緩衝材は、シャッタースラットの連結部に取り付けられる。この連結部は、巻き取り時に内側面となるスラット本体の一方の面に突出する。この連結部は、隣接する他のシャッタースラットの連結部の外側を覆う。このシャッタースラット用緩衝材は、断面略Ｃ字形状である。このシャッタースラット用緩衝材は、一方の連結部とほぼ同形状の一側に開口を有する断面略Ｃ字形状に形成される。このシャッタースラット用緩衝材は合成樹脂製部材よりなる。
【０００３】
特許文献１に開示された発明によると、シャッターカーテンを繰り出す際や巻き取り収納する際などの動作中や巻回状態となった停止中の際に、各シャッタースラット同士で傷や変形を起こすことやシャッターとしての外観を損ねることを抑止できる。さらに、特許文献１に開示された発明によると、シャッターのスラットに対し、簡単に取り付けることを可能とする。さらに、特許文献１に開示された発明によると、その取り付け、取外しを容易とし、メンテナンス性を向上させることを目的としている。
【先行技術文献】
【特許文献】
【０００４】
【特許文献１】特開２００４−１７６４６７号公報
【発明の概要】
【発明が解決しようとする課題】
【０００５】
しかしながら、特許文献１に開示された発明には、成形が難しいという問題点がある。成形が難しい原因は、係合片と指掛け片とが設けられている点にある。係合片と指掛け片とが設けられているのは、それらを押すことによって取り付けと取り外しとを容易にしているためである。
【０００６】
本発明は、上述した問題点を解決するものである。その目的は、取り付けと取り外しとが容易であり、かつ、容易に成形できるシャッタースラット用緩衝材を提供することにある。
【課題を解決するための手段】
【０００７】
図面を参照して本発明のシャッタースラット用緩衝材を説明する。なお、この欄で図中の符号を使用したのは、発明の内容の理解を助けるためであって、内容を図示した範囲に限定する意図ではない。
【０００８】
上述した課題を解決するために、本発明のある局面に従うと、シャッタースラット用緩衝材３０は、スラット連結部２２，２４に取り付けられる。スラット連結部２２，２４は、所定のシャッター１０のうち隣接するスラット２０の対が互いに連結するための部分である。スラット連結部２２，２４は、シャッター１０の一方の面に突出する部分でもある。シャッター１０は少なくとも３枚のスラット２０を備える。シャッタースラット用緩衝材３０は、一方連結カバー部４０と、他方連結カバー部４２と、カバー連結部４４とを備える。一方連結カバー部４０は一方連結部２２を覆うためのものである。一方連結部２２は、複数のスラット連結部２２，２４のうち隣接するスラット連結部２２，２４の対の一方である。他方連結カバー部４２は他方連結部２４を覆うためのものである。他方連結部２４は、複数のスラット連結部２２，２４のうち隣接するスラット連結部２２，２４の対の他方である。カバー連結部４４は、一方連結カバー部４０と他方連結カバー部４２とを連結する。一方連結カバー部４０が、一方引掛部６０と、一方凹形成部６２とを有している。一方引掛部６０は、一方連結部２２に引っ掛かるためのものである。一方凹形成部６２は、一方引掛部６０に連なる。一方凹形成部６２は、一方連結部２２が嵌まるための凹部７０を形成する。他方連結カバー部４２が、他方引掛部８０と、他方凹形成部８２とを有している。他方引掛部８０は、他方連結部２４に引っ掛かるためのものである。他方凹形成部８２は、他方引掛部８０に連なる。他方凹形成部８２は、他方連結部２４が嵌まるための凹部９０を形成する。カバー連結部４４が、一方凹形成部６２と他方引掛部８０とを連結する。
【０００９】
他方引掛部８０が他方連結部２４に引っ掛かり、かつ、他方凹形成部８２が形成する凹部が他方連結部２４に嵌まることで、他方連結部２４への他方連結カバー部４２の取付が完了する。他方連結部２４への他方連結カバー部４２の取付が完了すると同時に、所定のシャッター１０に対する一方連結カバー部４０の位置決めが完了する。カバー連結部４４が一方凹形成部６２と他方引掛部８０とを連結するためである。位置決めが完了した状態で、一方引掛部６０が一方連結部２２に引っ掛かり、かつ、一方凹形成部６２が形成する凹部が一方連結部２２に嵌まることで、一方連結部２２への一方連結カバー部４０の取付が完了する。他方連結カバー部４２の取付が完了すると同時に一方連結カバー部４０の位置決めが完了することで、他方連結カバー部４２の取付完了後に改めて位置決めが必要な場合に比べて、取り付けは容易なものとなる。シャッタースラット用緩衝材３０の取り外しにあたり、一方連結カバー部４０が取り外された後にカバー連結部４４を介して他方連結カバー部４２に力を加えることが可能である。カバー連結部４４を介して他方連結カバー部４２に力を加えることが可能なので、他方連結カバー部４２を他方連結部２４から取り外すために他方連結カバー部４２自体に力を加える必要がある場合に比べ、他方連結カバー部４２を他方連結部２４から取り外すことが容易である。カバー連結部４４が備えられるので、一方連結カバー部４０および他方連結カバー部４２に個別に係合片と指掛け片とが設けられる場合に比べて、本発明のある局面にかかるシャッタースラット用緩衝材３０の形状は単純となる。その結果、取り付けと取り外しとが容易であり、かつ、容易に成形できるシャッタースラット用緩衝材３０を提供できる。
【００１０】
また、上述したカバー連結部４４が、対向部１００と、他方側端部１０４とを有していることが望ましい。対向部１００は、スラット２０に他方引掛部８０以上に近い位置で対向するよう配置される。そのスラット２０は、次に述べられる場合に一方連結部２２と他方連結部２４とに挟まれるよう配置されるスラット２０である。その場合は、一方引掛部６０が一方連結部２２に引っ掛かり、かつ、他方引掛部８０が他方連結部２４に引っ掛かる場合である。他方側端部１０４は、対向部１００のうち他方連結カバー部４２側の端と他方引掛部８０とに連なる。
【００１１】
対向部１００がスラット２０に他方引掛部８０以上に近い位置で対向するよう配置され、他方側端部１０４が対向部１００のうち他方連結カバー部４２側の端と他方引掛部８０とに連なる。これにより、対向部１００を介して他方側端部１０４を押す力が加わるとき、その力は他方引掛部８０を他方連結部２４に押し付ける方向に作用する。その結果、そのように力が作用しない場合に比べて外れ難いシャッタースラット用緩衝材３０を提供できる。
【００１２】
もしくは、上述した対向部１００が、スラット連結部２２，２４の突出方向に突出するように曲がっていることが望ましい。
【００１３】
対向部１００がスラット連結部２２，２４の突出方向に突出するように曲がっていると、対向部１００が真っ直ぐな場合に比べ、一方連結カバー部４０と他方連結カバー部４２との間隔が広がったり狭まったりする方向へのシャッタースラット用緩衝材３０の伸縮が容易になる。その伸縮が容易であると、そうでない場合に比べ、一方連結部２２および他方連結部２４への一方連結カバー部４０および他方連結カバー部４２の取付が容易となる。しかも、対向部１００はスラット２０に他方引掛部８０以上に近い位置で対向するよう配置される。これにより、他方引掛部８０が対向部１００よりもスラット２０に近い場合に比べて、対向部１００の伸縮の影響でシャッタースラット用緩衝材３０がスラット連結部２２，２４から外れる可能性が低くなる。その結果、取付が容易で外れ難いシャッタースラット用緩衝材３０を提供できる。
【００１４】
また、上述した一方連結カバー部４０が、一方突出部６４をさらに有していることが望ましい。一方突出部６４は、一方引掛部６０に連なる。一方突出部６４は、一方連結部２２が嵌まるための凹部７０から見て一方連結カバー部４０の裏側へ突出する。
【００１５】
一方突出部６４は、一方連結部２２が嵌まるための凹部から見て一方連結カバー部４０の裏側へ突出する。一方突出部６４は、一方引掛部６０に連なる。一方引掛部６０は一方凹形成部６２に連なる。これにより、一方突出部６４に力を加えるとてこの原理によって一方引掛部６０に力を作用させることができる。一方引掛部６０に力を作用させることができると、それができない場合に比べて、一方連結カバー部４０を一方連結部２２から取り外すことが容易となる。その結果、取り外しが容易なシャッタースラット用緩衝材３０を提供できる。
【発明の効果】
【００１６】
本発明に係るシャッタースラット用緩衝材は、取り付けと取り外しとが容易であり、かつ、容易に成形できる。
【図面の簡単な説明】
【００１７】
【図１】本発明の第１実施形態に係るシャッタースラット用緩衝材がシャッターに取り付けられている状況を示す概念図である。
【図２】本発明の第１実施形態に係るシャッタースラット用緩衝材の正面図である。
【図３】本発明の第１実施形態に係るシャッタースラット用緩衝材の平面図である。
【図４】本発明の第１実施形態に係るシャッタースラット用緩衝材の取付手順を示す第１の図である。
【図５】本発明の第１実施形態に係るシャッタースラット用緩衝材の取付手順を示す第２の図である。
【発明を実施するための形態】
【００１８】
以下、本発明の実施形態を図面に基づき説明する。以下の説明では、同一の部品には同一の符号を付してある。それらの名称及び機能も同一である。したがって、それらについての詳細な説明は繰り返さない。
【００１９】
〈第１実施形態〉
［取付対象］
図１は、本実施形態に係るシャッタースラット用緩衝材３０がシャッター１０に取り付けられている状況を示す概念図である。図１に基づいて、本実施形態に係るシャッタースラット用緩衝材３０の取付対象が説明される。図１に示されるシャッター１０は、巻かれている状態である。このシャッター１０は、多数のスラット２０を有する。それらのスラット２０は連なっている。スラット２０が連なっているので、シャッター１０を巻き取ることが可能である。このシャッター１０において、連なっている３枚のスラット２０が、一方連結部２２と、他方連結部２４とを形成する。一方連結部２２は、３枚のスラット２０のうち真ん中のスラット２０とこれに隣接する一方のスラット２０とが互いに連結するための部分である。他方連結部２４は３枚のスラット２０のうち真ん中のスラット２０とこれに隣接する他方のスラット２０とが互いに連結するための部分である。本実施形態においては、一方連結部２２と他方連結部２４とを「スラット連結部」と総称する。これにより、一方連結部２２はスラット２０が形成するスラット連結部２２，２４の対の一方ということになる。他方連結部２４はスラット２０が形成するスラット連結部２２，２４の対の他方ということになる。その結果、シャッター１０は、スラット連結部２２，２４を有することとなる。スラット連結部２２，２４の具体的な構造は周知なのでここではその詳細な説明は繰り返されない。本実施形態に係るシャッタースラット用緩衝材３０は、シャッター１０のスラット連結部２２，２４に取り付けられる。
【００２０】
［シャッタースラット用緩衝材の構成］
図２は、本実施形態に係るシャッタースラット用緩衝材３０の正面図である。図３は、本実施形態に係るシャッタースラット用緩衝材３０の平面図である。図２と図３とに基づいて、本実施形態に係るシャッタースラット用緩衝材３０の構成が説明される。
【００２１】
本実施形態に係るシャッタースラット用緩衝材３０の素材は合成樹脂である。本実施形態に係るシャッタースラット用緩衝材３０は、一方連結カバー部４０と、他方連結カバー部４２と、カバー連結部４４とを備える。一方連結カバー部４０は一方連結部２２を覆うためのものである。他方連結カバー部４２は他方連結部２４を覆うためのものである。カバー連結部４４は、一方連結カバー部４０と他方連結カバー部４２とを連結する。
【００２２】
一方連結カバー部４０が、一方引掛部６０と、一方凹形成部６２と、一方突出部６４とを有している。一方引掛部６０は、一方連結部２２に引っ掛かるためのものである。一方凹形成部６２は、一方引掛部６０に連なる。一方凹形成部６２は、一方連結部２２が嵌まるための凹部７０を形成する。一方突出部６４は、一方引掛部６０に連なる。一方突出部６４は、一方連結部２２が嵌まるための凹部７０から見て一方連結カバー部４０の裏側へ突出する。
【００２３】
他方連結カバー部４２が、他方引掛部８０と、他方凹形成部８２と、他方誘導部８４とを有している。他方引掛部８０は、他方連結部２４に引っ掛かるためのものである。他方凹形成部８２は、他方引掛部８０に連なる。他方凹形成部８２は、他方連結部２４が嵌まるための凹部９０を形成する。他方誘導部８４は、他方凹形成部８２に連なる。本実施形態の場合、他方誘導部８４のうち他方連結部２４が嵌まるための凹部９０に連なる面は、その凹部９０の内周面に連なる曲面となっている。これにより、背面（図２に示された面から見て裏側にあたる面）から見た他方連結カバー部４２の形状は「Ｊ」字に近い形状となっている。
【００２４】
カバー連結部４４が、対向部１００と、一方側端部１０２と、他方側端部１０４とを有している。対向部１００は、スラット２０に対向するよう配置される。対向部１００は曲面を形成するように曲がっている。一方側端部１０２は、対向部１００のうち一方連結カバー部４０側の端に連なり一方凹形成部６２の端に接続される。他方側端部１０４は、対向部１００のうち他方連結カバー部４２側の端と他方引掛部８０とに連なることで、対向部１００と共に屈曲箇所を形成している。
【００２５】
［シャッタースラット用緩衝材の取付手順］
図４は、本実施形態に係るシャッタースラット用緩衝材３０の取付手順を示す第１の図である。図５は、本実施形態に係るシャッタースラット用緩衝材３０の取付手順を示す第２の図である。図１と図４と図５とに基づいて、本実施形態に係るシャッタースラット用緩衝材３０のスラット連結部２２，２４への取付手順が説明される。
【００２６】
まず、シャッタースラット用緩衝材３０をスラット連結部２２，２４へ取付ようとする者すなわち作業者は、シャッタースラット用緩衝材３０の他方誘導部８４を、他方連結部２４に接触させる。他方誘導部８４が他方連結部２４に接触すると、作業者は他方誘導部８４を他方連結部２４の表面に沿って滑らせる。これにより、他方凹形成部８２が形成する凹部９０は他方連結部２４に対向する。作業者は、他方凹形成部８２を他方連結部２４に嵌める。他方連結部２４に嵌まる際、他方連結カバー部４２はいったん弾性変形をする。これにより他方引掛部８０と他方凹形成部８２との隙間がいったん広がる。他方連結カバー部４２が他方連結部２４に嵌まると、シャッタースラット用緩衝材３０は他方連結部２４の周りに沿って回り得る。これを利用して、作業者は、シャッタースラット用緩衝材３０の一方連結カバー部４０を一方連結部２２に近づける。
【００２７】
本実施形態の場合、一方連結カバー部４０が一方連結部２２に近づくと、一方連結カバー部４０の一方引掛部６０が一方連結部２２に接触することとなる。一方引掛部６０が一方連結部２２に接触すると作業者は一方突出部６４を指で倒す。これにより、一方凹形成部６２は凹部７０の開口が開くようにいったん弾性変形する。これに伴い、シャッタースラット用緩衝材３０の各部も弾性変形する。その開口が開くと、作業者は一方引掛部６０を一方連結部２２の付け根に挿入する。その挿入後、作業者は一方突出部６４から指を離す。
【００２８】
一方突出部６４から指が離れると、シャッタースラット用緩衝材３０のうち弾性変形していた部分が元の形状に戻ろうとする。しかしながら、その部分の元の形状に戻ろうとする動きはスラット２０およびスラット連結部２２，２４のいずれかの箇所に妨げられる。これにより、スラット連結部２２，２４間の一方から他方へ向かう方向についてのカバー連結部４４の長さは元の長さより伸びる。一方連結カバー部４０は一方連結部２２に引っ掛かる。他方連結カバー部４２は他方連結部２４に引っ掛かる。一方凹形成部６２と他方凹形成部８２とが一方連結部２２と他方連結部２４とを介してスラット２０を挟むこととなる。その結果、シャッタースラット用緩衝材３０は、スラット連結部２２，２４に取り付けられる。このとき、すなわち、一方引掛部６０が一方連結部２２に引っ掛かり、かつ、他方引掛部８０が他方連結部２４に引っ掛かるとき、対向部１００は、スラット２０に他方引掛部８０以上に近い位置で対向するよう配置されることとなる。そのスラット２０は、一方連結部２２と他方連結部２４とに挟まれるよう配置されるスラット２０である。なお、対向部１００が形成する曲面は、スラット連結部２２，２４の突出方向に突出するように配置される。これにより、一方凹形成部６２が形成する凹部７０の開口が開くようシャッタースラット用緩衝材３０が弾性変形した際に変形していた対向部１００は、元の形状に戻ろうとする。元に戻ろうとするので、対向部１００は一方連結カバー部４０と他方連結カバー部４２とに互いに引き寄せる方向の力を加えることとなる。
【００２９】
１個のシャッタースラット用緩衝材３０がスラット連結部２２，２４に取り付けられると、作業者は同様の手順により他のシャッタースラット用緩衝材３０を他のスラット連結部２２，２４に取り付ける。
【００３０】
［シャッタースラット用緩衝材の取外し手順］
作業者は、スラット２０のスラット連結部２２，２４に取り付けられているシャッタースラット用緩衝材３０の一方突出部６４を指で倒す。これにより、一方凹形成部６２は凹部７０の開口が開くようにいったん弾性変形する。その開口が開くと、作業者は一方引掛部６０を一方連結部２２から外す。
【００３１】
一方引掛部６０が一方連結部２２から外れると、シャッタースラット用緩衝材３０は他方連結部２４を軸にして傾くことができる。シャッタースラット用緩衝材３０が傾くと、作業者は、シャッタースラット用緩衝材３０の他方連結カバー部４２を他方連結部２４から外す。これにより、シャッタースラット用緩衝材３０はスラット連結部２２，２４から外れることとなる。
【００３２】
［使用方法の説明］
シャッタースラット用緩衝材３０が取り付けられたシャッター１０の使用方法は周知のシャッターと同様である。シャッター１０が巻き上げられる際、あるスラット２０のスラット連結部２２，２４に取り付けられたシャッタースラット用緩衝材３０はそのスラット２０と他のスラット２０とが擦れ合うことを防止する。これにより、それらのスラット２０における摩耗の発生が抑制される。
【００３３】
［効果の説明］
以上のようにして、本実施形態に係るシャッタースラット用緩衝材３０は、シャッター１０が備えるあるスラット２０と他のスラット２０とが擦れ合うことを防止する。
【００３４】
本実施形態に係るシャッタースラット用緩衝材３０は、取り付けと取り外しとが容易である。しかも、本実施形態に係るシャッタースラット用緩衝材３０は、次に述べられる従来のシャッタースラット用緩衝材に比べて形状が単純である。そのシャッタースラット用緩衝材は、取り付けのために用いられる突起と取り外しのために用いられる突起とを有するものである。それらの突起の位置は別である。上述された従来のシャッタースラット用緩衝材に比べて形状が単純なので、本実施形態に係るシャッタースラット用緩衝材３０は、上述された従来のシャッタースラット用緩衝材に比べて容易に成形できる。
【００３５】
本施形態に係るシャッタースラット用緩衝材３０において、対向部１００を介して他方側端部１０４を押す力が加わるとき、その力は他方引掛部８０を他方連結部２４に押し付ける方向に作用する。その結果、そのように力が作用しない場合に比べて本施形態に係るシャッタースラット用緩衝材３０は外れ難い。
【００３６】
本施形態に係るシャッタースラット用緩衝材３０は、所定のシャッター１０のスラット連結部２２，２４に取り付けられるとカバー連結部４４が弾性変形により伸びる。カバー連結部４４が弾性変形により伸びるので、本施形態に係るシャッタースラット用緩衝材３０は、カバー連結部４４が伸びない場合に比べてスラット連結部２２，２４にしっかりと取り付けられることとなる。
【００３７】
本実施形態に係るシャッタースラット用緩衝材３０は、一方突出部６４に力を加えるとてこの原理によって一方引掛部６０に力を作用させることができる。一方引掛部６０に力を作用させることができると、それができない場合に比べて、一方連結カバー部４０を一方連結部２２から取り外すことが容易となる。
【００３８】
［変形例の説明］
上述したシャッタースラット用緩衝材は、本発明の技術的思想を具体化するために例示したものである。各部材の形状、構造、配置などをこれらの実施形態のものに限定するものではない。各部材の形状、構造、配置は、種々の変更を加え得るものである。
【００３９】
例えば、シャッタースラット用緩衝材の形態は上述したものに限定されない。例えば、一方突出部６４は設けられていなくてもよい。例えば、対向部１００はまっすぐでもよい。
【符号の説明】
【００４０】
１０…シャッター
２０…スラット
２２…一方連結部
２４…他方連結部
３０…シャッタースラット用緩衝材
４０…一方連結カバー部
４２…他方連結カバー部
４４…カバー連結部
６０…一方引掛部
６２…一方凹形成部
６４…一方突出部
７０，９０…凹部
８０…他方引掛部
８２…他方凹形成部
８４…他方誘導部
１００…対向部
１０２…一方側端部
１０４…他方側端部
【図１】
2020016122.tif 000003
【図２】
2020016122.tif 000004
【図３】
2020016122.tif 000005
【図４】
2020016122.tif 000006
【図５】
2020016122.tif 000007